(57)【要約】【課題】舌根沈下による上気道の閉塞を防止できるのみならず、睡眠時でも常に気道を確保することができ、しかも吸気を充分に加湿できるマウスピースを提供する。【解決手段】マウスピース１の本体２に、これを口腔Ａ内に所定の状態に装着したときに左右の臼歯部に対応位置する本体左右部分に左右一対の貫通孔６・７を設け、これらの貫通孔６・７に、一方の貫通孔６から本体２の外周面２ｂ側の前方を通って他方の貫通孔７に至るように平面視で略Ｕ字状のチューブ８を接続する。そして、口を閉じたときにもチューブ８の中央前側部分が口唇外に露出する構成とし、その露出することとなる部分に呼吸用の孔としての開口部８ｃを設ける。【選択図】  図１
2010142497.tif 000002
【特許請求の範囲】
【請求項１】
鼾の抑制や睡眠時呼吸の補助・改善に使用されるマウスピースであって、
平面視で歯列に対応する略馬蹄形または略Ｕ字状の形状に形成された本体を有し、
この本体を噛んで口腔内に所定の状態に装着したときに下顎が所定量だけ前方に移動した状態で固定されるように、本体の上面側および下面側に、溝状の上歯咬合用の凹部および溝状の下歯咬合用の凹部がそれぞれ形成されており、
本体には、これを口腔内に所定の状態に装着して口唇を閉じたときにも口から呼吸ができるように、一部が口腔外に露出するように形成されて口腔の内外を連通させる呼吸気道孔形成用の連通手段が設けられており、
この連通手段の口腔内側の呼吸用の孔として、左右の臼歯部に対応位置する本体左右部分の内周面側に一対の開口部が設けられているとともに、口腔外側の呼吸用の孔として、当該連通手段における口腔外側の露出部分に開口部が設けられていることを特徴とする睡眠時呼吸補助・改善、鼾抑制用のマウスピース。
【請求項２】
連通手段は、本体を口腔内に所定の状態に装着したときに左右の臼歯部に対応位置する本体左右部分に形成されて本体の内周面側から外周面側にそれぞれ貫通する左右一対の貫通孔と、そのうちの一方の貫通孔から本体の外側の前方を通って他方の貫通孔に至るように設けられた管とで構成されており、
前記管の少なくとも一部分が、本体を口腔内に所定の状態に装着したときに口もしくは口唇の外側に露出するように形成されているとともに、その露出することとなる管部分に口腔外側の呼吸用の孔としての開口部が設けられている、請求項１記載の睡眠時呼吸補助・改善、鼾抑制用のマウスピース。
【請求項３】
呼吸気道孔形成用の連通手段を構成する管は、平面視で略Ｕ字状に形成されており、その中央前側部分に口腔外側の呼吸用の孔としての開口部が設けられている、請求項２記載の睡眠時呼吸補助・改善、鼾抑制用のマウスピース。
【発明の詳細な説明】
【技術分野】
【０００１】
本発明は、鼾の抑制や睡眠時呼吸の補助・改善に使用されるマウスピースに関する。
【背景技術】
【０００２】
鼾は、睡眠中に咽頭や舌の筋肉の緊張が低下して舌根が気道を塞いでしまう（舌根沈下）等の理由により気道が狭くなったとき、あるいは鼻疾患、咽頭部の障害により気道が狭くなったときに、その狭くなった気道を空気が通る際に粘膜が振動することによって起きると言われている。一方、睡眠時無呼吸症候群は、睡眠中に呼吸が止まった状態（無呼吸）が断続的に繰り返される病気であり、治療をせずに放置しておくと生命に危険が及ぶ場合もあると言われているものである。
【０００３】
このような鼾や睡眠時無呼吸症候群の治療・改善用の手段として、従来においては例えば特許文献１〜３に記載されたようなマウスピースが提案されている。このうち、特許文献１に記載のものは、使用時に上歯側に当てられる上部アーチと下歯側に当てられる下部アーチとを有するマウスピースにおいて、上部アーチの前部側から下方に延びる柱状体を設け、この柱状体を下部アーチに接触させることで使用者の下顎を延ばすことができるようにしたものである。これによれば、下顎が前方に移動して上気道が拡がるので鼾を防止することができる。
【０００４】
上記特許文献１には、上部アーチの前部側に管固着用のループを設けて、このループに酸素供給等用の管を取り付け得るようにしたもの（同文献１中の図４）や、前記柱状体に呼吸溝を設けて使用中の呼吸通路が確保されるようにしたもの（同文献１中の図６）も記載されている。前者によれば、睡眠時等において前記管を通じて酸素を強制的に供給することができ、後者によれば睡眠中の呼気および吸気の通路が前記呼吸溝によって確保されることになる。
【０００５】
特許文献２に記載のマウスピースは、上面に沿って上顎の歯列に補合する凹所を有する略馬蹄形の上側モールドと、下面に沿って下顎の歯列に補合する凹所を有し且つ上側モールドに対して通常の噛み合わせ位置よりも顔前面側にずらして固定されている略馬蹄形の下側モールドとからなるものである。この特許文献２には、好ましい実施例として、前記上下一対のモールドにおける合わせ部分の前部側に当該モールドの外側から内側に貫通する空気通路を設けたマウスピースが記載されている。これによれば、特許文献１記載の呼吸溝を設けたマウスピースと同様、下顎の前方移動による上気道の拡開とともに、前記空気通路による睡眠中の呼気および吸気の流通路の確保が可能となる。
【０００６】
特許文献３に記載のマウスピースは、弾力性のある素材でほぼ全体が作成され、上顎の歯茎および下顎の歯茎の前面および後面に密着可能な保持部を備え、この保持部の前歯部分を所定の範囲で切り欠いた構造としたものである。これによれば、マウスピースの前歯部分が切り欠かれているので、鼻が詰まり気味である等の場合にも当該切欠部を通じて比較的楽に呼吸をすることができ、結果として睡眠中の呼吸困難や鼾が予防ないし緩和されることとなる。
【０００７】
【特許文献１】特表平９−５０２９１０号（第１３〜１４頁、図４、図６）
【特許文献２】特開平７−２４１３４１号（段落番号００１４、００２２、図１）
【特許文献３】特開平１０−１７４６９７号（段落番号００１４、図１、図２）
【発明の開示】
【発明が解決しようとする課題】
【０００８】
ところが、上記のような従来のマウスピースにおいては、空気の通路となるべき管や呼吸溝（特許文献１）、空気通路（特許文献２）、切欠部（特許文献３）等の部分（以下、適宜、このような部分を「呼吸気道孔」と総称する）が上下の口唇間の中央部（上下切歯間）付近に形成される構造であるため、睡眠中、無意識に口唇を閉じたときに呼吸気道孔を塞いでしまうおそれがある。また、マウスピースを装着した際に呼吸気道孔の口腔内側の開口端が舌尖部側に位置するようになることから、睡眠時に無意識に舌尖部を前記呼吸気道孔の開口端に押し付けてしまって当該開口端を塞いでしまうおそれもある。実際、鼾の大きい人や睡眠時無呼吸症候群の患者の中には、舌そのものが口腔容積と比較して大きい人（小下顎症、巨舌症、またはその傾向にある人など）が多く存在するが、これらの人の場合、舌尖部側に位置することとなる上記のよう呼吸気道孔では、これに舌の一部が入り込んで塞いでしまうといったことが起こり易くなる。
【０００９】
さらに、口から吸った息が上下切歯間に位置する呼吸気道孔を通ってそのまま直ぐに口腔内に入り込む上記のようなマウスピースでは、鼻から吸った場合のように吸気が鼻腔を通ることによって加湿されるということがなく、乾燥した吸気が気管や肺にそのまま供給されてしまうという問題がある。口の中が渇いて喉が痛くなるおそれもある。
【００１０】
本発明は、上記のような問題に対処するもので、鼾の抑制や睡眠時呼吸の補助・改善を図るためのマウスピースとして、舌根沈下による上気道の閉塞を防止できるのみならず、睡眠時でも常に気道を確保することができ、しかも鼻孔のごとく吸気を充分に加湿できるマウスピースを提供することを目的とする。
【課題を解決するための手段】
【００１１】
上記の目的を達成するため、本発明は、鼾の抑制や睡眠時呼吸の補助・改善に使用されるマウスピースにおいて、次のように構成したことを特徴とする。
【００１２】
すなわち、平面視で歯列に対応する略馬蹄形または略Ｕ字状の形状に形成された本体２を備え、この本体２を噛んで口腔Ａ内に所定の状態に装着したときに下顎Ｂが所定量だけ前方に移動した状態で固定されるように、本体２の上面側および下面側に、溝状の上歯咬合用の凹部３および溝状の下歯咬合用の凹部４をそれぞれ形成する。
【００１３】
本体２には、これを口腔Ａ内に所定の状態に装着して口唇を閉じたときにも口から呼吸ができるように、一部が口腔Ａ外に露出するように形成されて口腔Ａの内外を連通させる呼吸気道孔形成用の連通手段５を設ける。そして、この連通手段５の口腔内側の呼吸用の孔として、左右の臼歯部に対応位置する本体左右部分の内周面２ａ側に一対の開口部６ａ・７ａを設けるとともに、口腔外側の呼吸用の孔として、当該連通手段５における口腔外側の露出部分に開口部８ｃを設ける。
【００１４】
本発明における連通手段５は、具体的には、本体２を口腔Ａ内に所定の状態に装着したときに左右の臼歯部に対応位置する本体左右部分に形成されて本体２の内側から外側にそれぞれ貫通する左右一対の貫通孔６・７と、そのうちの一方の貫通孔６から本体２の外側の前方を通って他方の貫通孔７に至るように設けられた管（例えばチューブ）８とで構成することができる。管８の少なくとも一部分は、本体２を口腔Ａ内に所定の状態に装着したときに口もしくは口唇の外側に露出するように形成し、その露出することとなる管部分に口腔外側の呼吸用の孔としての開口部８ｃを設ける。なお、本発明でいう管（くだ）８は、ある程度の保形性を有しつつも常温で弾性変形可能な軟質状のチューブやホース、常温での弾性変形が困難な硬質状のパイプのいずれをも含む。
【００１５】
前記管８は、平面視で略Ｕ字状に形成することができ、その中央前側部分に口腔外側の呼吸用の孔としての開口部８ｃを設けることができる。
【発明の効果】
【００１６】
本発明のマウスピース１によれば、本体２を噛んで口腔Ａ内に所定の状態に装着したときに、本体２の上面側に形成した溝状の上歯咬合用の凹部３に上歯Ｄが咬合するとともに、本体２の下面側に形成した溝状の下歯咬合用の凹部４に下歯Ｅが咬合することによって、下顎Ｂが所定量（数ミリ）だけ前方に移動した状態（切端咬合状態）となる。その結果、上気道Ｆが拡がり、舌根沈下による閉塞が解消されて、鼾を防止することができる。
【００１７】
本体２には、これを口腔Ａ内に所定の状態に装着して口唇Ｃ・Ｃを閉じたときにも口腔Ａの内外を連通させる呼吸気道孔形成用の連通手段５が設けられているので、睡眠中、無意識に口を閉じていても当該連通手段５を介して口で呼吸することができる。その場合、連通手段５における口腔外側の呼吸用の孔として、当該連通手段５における口腔外側の露出部分に開口部８ｃが設けられているので、鼻と同様に、睡眠中、無意識に口を閉じていても前記開口部８ｃ、つまり口腔外側の呼吸用の孔を塞いでしまうことがない。
【００１８】
連通手段５の口腔外側の開口部８ｃから吸い込まれた吸気は、唾液により濡れた連通手段５の内部を通って本体左右部分の内周面２ａ側に設けられた左右一対の開口部６ａ・７ａに至り、そこから口腔Ａ内に流入する。この場合の連通手段５は、従来のマウスピースにおける呼吸気道孔のようにマウスピースの口腔外側から取り込んだ吸気を直後方の口腔内側に流入させるのではなく、口腔外側の露出部分に設けられた開口部８ｃから本体左右部分の内周面２ａ側に設けられた左右一対の開口部６ａ・７ａに至る比較的長い通路（しかも唾液により濡れた通路）を通って口腔Ａ内側に流入させるようになっているので、鼻孔のごとく吸入した空気は口腔Ａ内に至るまでに充分に加湿されることとなる。したがって、咽頭部、気管、肺等を乾燥から守ることができる。
【００１９】
吸気は呼吸気道孔を形成する連通手段５の内部を通ってその口腔内側の呼吸用の孔から口腔Ａ内に流入する。その際、舌尖部に対応位置する部分に口腔内側の呼吸用の孔が配置されていた従来のマウスピースでは、当該呼吸用の孔が舌尖部によって塞がれてしまうことがあった。しかし、本発明において口腔内側の呼吸用の孔を構成している左右一対の開口部６ａ・７ａは、口腔Ａ内への装着時に左右の臼歯部に対応位置する本体左右部分の内周面２ａ側に設けられているので、口腔容積のわりに大きな舌を持つ人の場合でも、前記左右一対の開口部６ａ・７ａを左右同時に塞いでしまうという事態の生じる可能性は極めて低い。したがって、睡眠時でも常に気道を確保することができる。
【発明を実施するための最良の形態】
【００２０】
図１〜図５に示すように、本発明のマウスピース１は、平面視で歯列に対応する略馬蹄形または略Ｕ字状の形状に形成された本体２を有する。この本体２の上面側および下面側には、本体２を噛んで口腔Ａ内に所定の状態に装着したときに下顎Ｂが所定量だけ前方に移動した状態で固定されるように、溝状の上歯咬合用の凹部３および溝状の下歯咬合用の凹部４をそれぞれ形成する。これらの溝状の凹部３・４の左右両端部には、当該凹部を形成している壁が有ってもよいし（図１および図３参照）、無くてもよい（図４および図５参照）。
【００２１】
本体２の材料としては、所定温度以上の湯などに入れて所定時間加熱することにより変形可能な材料、例えば米国デュポン社が「エルバックス（ＥＬＶＡＸ）：登録商標」のブランド名で販売しているエチレン−酢酸ビニル共重合体などを用いることができ、その他歯科用のマウスピースに使用されているものも使用できる。
【００２２】
本体２には、これを口腔Ａ内に所定の状態に装着して口唇Ｃ・Ｃを閉じたときにも口から呼吸ができるように、一部が口腔Ａ外に露出するように形成されて口腔Ａの内外を連通させる呼吸気道孔形成用の連通手段５を設ける。このような連通手段５は、具体的には、本体２を口腔Ａ内に所定の状態に装着したときに左右の臼歯部に対応位置する本体左右部分に形成されて本体２の内周面２ａ側から外周面２ｂ側にそれぞれ貫通する左右一対の貫通孔６・７と、そのうちの一方の貫通孔６から本体２の外周面２ｂ側の前方（外周面２ｂと密着していてもよいし離れていてもよい）を通って他方の貫通孔７に至るように設けられた管８とで構成することができる。この場合、左右一対の貫通孔６・７の部分を管の一方の端部で形成するようにすれば、連通手段５を管８のみによって構成することも可能である。これらの場合に使用できる管８としては、例えば、或る程度の保形性を有する軟質プラスチック製のチューブ、硬質プラスチック製あるいは金属製のパイプ、シリコーンゴムなどのゴム製のチューブを挙げることができる。
【００２３】
上述した左右一対の貫通孔６・７と管８の両端部８ａ・８ｂとを隙間が生じないようにそれぞれ接続するために、各貫通孔６・７の内径と管８の外径とは略等しい寸法とし、左右の貫通孔６・７内の一部または全部に管８の一端部をそれぞれ挿入した状態で両者を接合する。接合には、熱融着性の樹脂や接着剤を使用する。
【００２４】
連通手段５の口腔内側の呼吸用の孔として、左右の臼歯部に対応位置する本体左右部分の内周面２ａ側に一対の開口部６ａ・７ａを設ける。また、連通手段５の口腔外側の呼吸用の孔として、当該連通手段５における口腔外側の露出部分に開口部８ｃを設ける。上述した左右一対の貫通孔６・７と管８とで連通手段５を構成する場合には、管８の少なくとも一部分を、本体２を口腔Ａ内に所定の状態に装着したときに口もしくは口唇の外側に露出するように形成し、その露出することとなる管部分に口腔外側の呼吸用の孔としての開口部８ｃを設ける。
【００２５】
上記の連通手段５を構成する管８は、少なくともその一部分が口もしくは口唇の外側に露出するようになっていれば形状は限定されないが、通常は製作のしやすさ、デザイン、使用感等を考慮して平面視で略Ｕ字状のシンプルな形状に形成する。また呼吸用の孔も、本体を口内に所定の状態に装着したときに少なくとも口もしくは口唇の外側に露出することとなる管部分に形成されていれば足りるが、通常はその中央前側部分に設ける。
【実施例】
【００２６】
図１〜図３に本発明の実施例に係るマウスピース１を示す。このマウスピース１は、平面視で歯列に対応する略馬蹄形または略Ｕ字状の形状に湾曲形成された本体２を有する。この本体２は、本実施例ではエチレン−酢酸ビニル共重合体で形成されている。
【００２７】
本体２の上面側および下面側には、本体２を噛んで口腔Ａ内に所定の状態に装着したときに下顎Ｂが所定量だけ前方に移動した状態（図２に実線で示す）で固定されるように、溝状の上歯咬合用の凹部３および溝状の下歯咬合用の凹部４がそれぞれ形成されている。これらの溝状の凹部３・４は、図示例では当該凹部３・４を形成している壁３ａ・４ａが本体２の左右両端部において連続した構造とされている。
【００２８】
本体２には、これを口腔Ａ内に所定の状態に装着して口唇Ｃ・Ｃを閉じたときにも口から呼吸ができるように、一部が口腔Ａ外に露出するように形成されて口腔Ａの内外を連通させる呼吸気道孔形成用の連通手段５が設けられている。この連通手段５は、本実施例では、本体２を口腔Ａ内に所定の状態に装着したときに左右の臼歯部に対応位置する本体左右部分に形成されて本体２の内周面２ａ側から外周面２ｂ側にそれぞれ貫通する左右一対の貫通孔６・７と、そのうちの一方の貫通孔６から本体２の外周面２ｂ側の前方を通って他方の貫通孔７に至るように設けられたシリコーンゴム製のチューブ（管）８とで構成されている。
【００２９】
左右一対の貫通孔６・７の内径はチューブ８の外径と略等しい寸法に設定されており、これらの貫通孔６・７とチューブ８との間に隙間が生じないように本体２の口腔外側からチューブ８の一端部８ａが一方の貫通孔６内に挿入された状態で接続され、チューブ８の他端部８ｂが他方の貫通孔７内に挿入された状態で接続されている。この場合のチューブ８は、本体２を口腔Ａ内に含んで所定の状態に装着したときに当該チューブ８の少なくとも一部分が口もしくは口唇Ｃ・Ｃの外側に露出するように平面視で略Ｕ字状の形状とされており、その露出することとなる中央前側部分に口腔外側の呼吸用の孔である開口部８ｃが設けられている。そして、このチューブ８の両端部８ａ・８ｂが接続された前記左右一対の貫通孔６・７の口腔内側の各端の開口部６ａ・７ａがそれぞれ口腔内側の呼吸用の孔とされている。
【００３０】
上記のマウスピース１によれば、次のようにして舌根沈下による上気道の閉塞ひいては鼾の発生を防止でき、睡眠時でも常に気道を確保できるのみならず、第２の鼻孔のごとく吸気を充分に加湿したうえで気管や肺等に流入させることができる。
【００３１】
まず、マウスピース１の本体２を口に含み、その上面側および下面側にそれぞれ形成された溝状の上歯咬合用の凹部３および下歯咬合用の凹部４に上歯Ｄおよび下歯Ｅの歯先をそれぞれ密着させるようにして本体２を噛む。このようにすると、上歯咬合用の凹部３および下歯咬合用の凹部４に上歯Ｄおよび下歯Ｅが咬合することによって切端咬合状態（受け口の状態）に誘導され、下顎Ｂが所定量（５ｍｍ程度）だけ前方に移動する。これにより上気道（咽頭）Ｆが拡がり、舌根沈下によって咽頭Ｆが閉鎖されていた状態（図２に２点鎖線で示す）から、咽頭Ｆが開放された状態（図２の実線で示す）に変えられる。その結果、上気道Ｆの空気抵抗が減少し、空気が上気道Ｆを容易に通過するようになって、当該上気道部分（咽頭部分）の粘膜の振動による鼾の発生が防止されることとなる。なお、睡眠中においては、本体２を常時噛んでいれば上記のような下顎Ｂの前方移動による切端咬合状態への誘導効果は確実に得られるが、唾液を飲み込むときに本体２を噛み締めるだけでも、下顎Ｂを前方に移動させて上気道Ｆを拡げることができる。
【００３２】
上記のようにしてマウスピース１の本体２を口腔Ａ内に含んで所定の状態に装着すると、図２に示すように、本体２に設けられたチューブ８、すなわち呼吸気道孔形成用の連通手段５を構成しているチューブ８の中央前側部分は、口唇Ｃ・Ｃを閉じたときにもその外側に露出することとなる。そして、このチューブ８の露出部分には口腔外側の呼吸用の孔である開口部８ｃが設けられており、さらにこのチューブ８の両端部８ａ・８ｂが、左右の臼歯部に対応位置する本体左右部分に形成され且つ一端の開口部６ａ・７ａが口腔内側の呼吸用の孔とされた左右一対の貫通孔６・７に接続されていることにより、これらのチューブ８および貫通孔６・７を介して口腔Ａの内外が連通した状態となる。この場合、口腔内側の呼吸用の孔を構成している左右一対の開口部６ａ・７ａは、図３に示すように、口腔ａ内への装着時に左右の臼歯部に対応位置する本体左右部分の内周面２ａ側に存在する。したがって、口腔容積のわりに大きな舌Ｇを持つ人の場合でも、左右一対の開口部６ａ・７ａを左右同時に塞いでしまう可能性は極めて低い。これにより、睡眠時でも常に気道を確保することができる。
【００３３】
また、上記のようにチューブ８および貫通孔６・７を介して口の内外が連通した状態となっていると、睡眠中、口を閉じていても、チューブ８の露出部分に設けられた開口部８ｃ、すなわち口腔外側の呼吸用の孔から吸い込まれた空気（吸気）は、チューブ８内および左右の貫通孔内６・７を通って口腔内側の呼吸用の孔である左右一対の開口部６ａ・７ａから口腔Ａ内に流入する。このとき、左右一対の開口部６ａ・７ａからは貫通孔６・７内や更にはチューブ８内に口腔Ａ内の唾液による湿気が入り込むことにより、当該貫通孔６・７内やチューブ８内が或る程度湿った状態あるいは濡れた状態に保たれている。しかも、吸気は上記口腔外側の開口部８ｃから本体左右部分の内周面２ａ側に設けられた左右一対の開口部６ａ・７ａに至る比較的長い通路を通って口腔Ａ内に流入する。したがって、チューブ８の開口部８ｃから吸い込まれた空気すなわち吸気は、口腔Ａ内に至るまでに充分に加湿されるので、咽頭部、気管、肺等を乾燥から守ることができる。
【００３４】
このように本発明のマウスピース１によれば加湿された吸気を気管や肺や流入させることができるが、これに加えて肺からの呼気を連通手段５であるチューブ８等を介してスムーズに外部に排出することも可能となる。すなわち、本発明のマウスピース１は、鼻づまりや軟口蓋後方（鼻咽腔部）の狭窄による呼気の排出障害に対しても優れた呼吸改善効果を発揮する。呼気の排出障害については、未だあまり問題とされていないが、無呼吸症にとっては吸気と同じくらい重要であり、鼾音も呼気によるものが吸気によるものより顕著であることが観察されている。このような呼気の排出障害の治療・改善にも本発明のマウスピースは役立つものと思われる。
【００３５】
図４および図５に、本発明の他の実施例に係るマウスピース１を示す。このマウスピース１においては、本体２の上面側および下面側にそれぞれ形成された溝状の凹部の左右両端部に当該凹部を形成している壁が連続していない（つまり左右両端部には壁がない）点が上記の実施例の場合と異なっている。これ以外の点、すなわちマウスピース１の本体２が平面視で歯列に対応する略馬蹄形または略Ｕ字状の形状に形成されている点、この本体２の上面側および下面側に、本体２を噛んで口腔内に所定の状態に装着したときに下顎が所定量だけ前方に移動した状態で固定されるように、溝状の上歯咬合用の凹部３および溝状の下歯咬合用の凹部がそれぞれ形成されている点、連通手段として、本体２に左右一対の貫通孔６・７と、これらの貫通孔６・７に両端部８ａ・８ｂが接続されたチューブ８とを有する点等は、上述した第１実施例に係るマウスピース１の場合と同様である。したがって、両者の共通部分には共通の符号を付して詳しい説明を省略する。
【図面の簡単な説明】
【００３６】
【図１】本発明の一実施例に係るマウスピースを示す斜視図である。
【図２】上記マウスピースを口腔内に装着した状態を示す縦断面図である。
【図３】上記マウスピースを口腔内に装着した状態において本体における左右の貫通孔と舌との位置関係等を説明するために使用したマウスピースの横断面図である。
【図４】本発明の他の実施例に係るマウスピースを示す斜視図である。
【図５】本発明の他の実施例に係るマウスピースの断面構造を示す横断面図である。
【符号の説明】
【００３７】
１  マウスピース
２  本体
２ａ  本体の内周面
２ｂ  本体の外周面
３  上歯咬合用の凹部
４  下歯咬合用の凹部
５  連通手段
６・７  左右一対の貫通孔
６ａ・７ａ  口腔内側の呼吸用の孔としての一対の開口部
８  管（チューブ）
８ｃ  口腔外側の呼吸用の孔としての開口部
Ａ  口腔
【図１】
2010142497.tif 000003
【図２】
2010142497.tif 000004
【図３】
2010142497.tif 000005
【図４】
2010142497.tif 000006
【図５】
2010142497.tif 000007